(57)【要約】  本実用新案は、化学的構成要素の電気陰性現象の差に基づき酸素および水素を放出する、電気負荷を移すのに飲用水を使用する、飲料水を用いる発電機から成る。新規性は、異なる物質で製造した特定の物理構造を有する電極を使用すること、およびコンデンサ、別のインパルス発生器、およびダブラまたは有用な電圧増倍器を加えることにより、より強大な電力を得られることにある。この処理で、同時に水電解が起こり、ガス泡が２つの電極で現れる。ご存じの通り、酸素は陽極へ、目下の論点ではアルミニウム電極へ放出され、水素が陰極へ、我々のケースでは銅電極へ放出される。大型の発電機で、これらのガスを収集し、熱エネルギーの生成、または産業、農業、医療などに使用してもよい。それは、産業、農業、医療、家庭などのあらゆる分野で使用可能である。【選択図】図１
2016532258.tif 000002
【特許請求の範囲】
【請求項１】
それらの間が気密密閉されたいくつかの区画に分割された電気絶縁容器であって、
それぞれの区画は、銅飲用水で満たされ、内側に電気陰性度の差が大きい異なる金属または金属合金から製造された、少なくとも１つの対の同軸の電極を有し、前記電極は直列または並列に接続された
電気絶縁容器を備え、
前記容器の出口で電解コンデンサおよびインパルス発生器または発振器が接続され、その出口でダブラまたは電圧増倍器が接続された、
飲用水を用いる発電機。
【請求項２】
６対の金属電極を備え、それぞれの対がアルミニウムから製造された電極および銅から製造された電極を有することを特徴とする、請求項１に記載の発電機。
【請求項３】
少なくとも１つの対の金属が、ロール状またはいくつかの層で同軸の円の形状のギザギザ状の板またはワイヤメッシュから製造された電極からなることを特徴とする、請求項１に記載の発電機。
【請求項４】
それぞれの前記密閉された区画の内部の水が、添加された塩、酸または有機物質を有さないことを特徴とする、請求項１に記載の発電機。
【請求項５】
それぞれの前記密閉された区画の内部の水が、不凍のような溶液を含むことを特徴とする、請求項１に記載の発電機。
【発明の詳細な説明】
【技術分野】
【０００１】
本実用新案は、化学的構成要素の電気陰性現象の差に基づき酸素および水素を放出する、電気負荷を移すのに飲用水を使用する、飲料水を用いる発電機から成る。
【発明を実施するための形態】
【０００２】
例示のため、発明者は６つの発電機の構成要素−プラスチックパイプまたは他の絶縁物（図１）を採用し、それぞれが内部で一対の螺旋状の電極を有し、１つは銅で作られ、１つはアルミニウムで作られている。互いに接触しないように、いくつかのプラスチックの分離器または他の絶縁物を電極間におくべきである。構成要素は、電池のように、相互接続する導体により直列に接続される。構成要素の外被物を絶縁材質で作ることが可能であり、またはそれが電極であってさえもよい。
【０００３】
電位差が全ての構成要素内でつくられ、それはアルミニウムと銅の電極の間で約０，５Ｖの直流から生じる。電気陰性度の差が大きい材質が使用される場合ほど、そのときの電位は高い。６つの構成要素を直列に接続することにより、マイクロアンペアで測定された非常に低量から、３Ｖの直流の電位差がつくられる。
【０００４】
新規性は、異なる材質で製造された特定の物理構造の電極を使用すること、およびコンデンサ、別のインパルス発生器、およびダブラまたは有用な電圧増倍器を加えることにより、より強大な電力を得られることにある。
【０００５】
電極を、３ｍｍの直径または厚さを有するワイヤ、ロッドまたは板から製造してもよい。それらの範囲によって、同様に他のより小さいまたはより大きいサイズを選択してもよい。効果的であるために、電極は螺旋状であるべきであり、前記電極の材質のワイヤメッシュ、またはギザギザ状（ジグザグ状）板のどれかの由来である（図２ａ，ｂ，ｃ）。そのような電極構造は、発電機の能力を数倍増強する。
【０００６】
陰極と陽極の間の距離を、１から５ｍｍの間で選択可能であり、プラスチックの分離器がそれらまたは他の絶縁物の間に取り付けられる。
【０００７】
螺旋状のワイヤ、ワイヤメッシュまたはジグザグ状の波形シートから製造された電極は、いくつかの層（陽極の内側に陰極、またはその逆）に同軸に均一であることが可能である。
【図面の簡単な説明】
【０００８】
【図１】６つの発電機の構成要素−プラスチックパイプまたは他の絶縁物
【図２】電極は螺旋状であるべきであり、前記電極の材質のワイヤメッシュ、またはギザギザ状（ジグザグ状）板のどれかの由来である
【図３】３ａ−いくつかの層の同軸の螺旋状の電極。３ｂ−いくつかの層のロール状のギザギザ状の板またはワイヤメッシュで製造された電極。３ｃ−いくつかの層の同心円のギザギザ状の板またはワイヤメッシュ電極。
【図４】大型の発電機については、ギザギザ状の薄板またはワイヤメッシュのような形状の電極を使用可能である
【図５】生じたガスを、捕集器（図５−側面図）を用いて収集し、熱エネルギーの生成、または産業、農業、医療などに使用することが可能である。
【０００９】
構成要素の外被物でさえも、電極のうちの１つ、陽極、または陰極を構成可能である。
【００１０】
構成要素は所望されるだけ多くの数であることが可能であり、欲するエネルギーによって直列または並列に接続可能である。
【００１１】
有用になるように、このエネルギーを強度、および電圧の観点の両方で増幅すべきである。よって発明者は、１０ｃｍの長さおよび２ｃｍの直径のパイプで形成された６つの構成要素を有する１つの発電機から、６つのＬＥＤを点灯可能であるように、この問題を解決する電子組立品を手製の試作品で追加した。
【００１２】
もちろん、手製の試作品と比較すると、工場生産品で出力ははるかによくなりうる。
【００１３】
電子回路は、発電機の末端に接続された電解コンデンサ、別のインパルス発生器、およびダブラまたは電圧増倍器で構成される。
【００１４】
コンデンサの役割は、インパルス間の電流の強度を増強することである。別のインパルス発生器は、発電機のエネルギー出力にわたり促進効果を有し、またその強度を増強する。電圧ダブラ（または増倍器）は、電圧を増強する機能を有する。そのような組み合わせは、発電機の能力を数倍増強する。
【００１５】
この処理で同時に、水電解が同様に起こり、ガス泡が２つの電極で現れる。ご存じの通り、酸素は陽極へ、目下の論点ではアルミニウム電極へ放出され、水素が陰極へ、我々のケースでは銅電極へ放出される。
【００１６】
大型の発電機については、ギザギザ状の薄板またはワイヤメッシュのような形状の電極を使用可能である（図４）。生じたガスを、捕集器（図５−側面図）を用いて収集し、熱エネルギーの生成、または産業、農業、医療などに使用することが可能である。
【００１７】
水の消費量は少ない。水の交換の必要はなく、追加のみである。
追加される水のおよその量は、最大能力で使用される場合、月あたり１０％である。
【００１８】
数年で陽極（アルミニウム電極）が劣化するかもしれず、よって交換を必要とすることがありえる。これは、水および電極の構成による。これは、発電機が最大能力で永続的に使用される場合のみである。それが永続的に使用されない場合、またはそれが最大能力で使用されない場合、陽極の電極はもっと長く耐久可能である。発電機の使用範囲間の中断ではそれは劣化せず、数十年または数百年後でさえその使用を再開可能である。
【００１９】
例えば、たまに使用される標準の懐中電灯は、数十年または数百年でさえ問題なく長持ちしうる。
【００２０】
水は飲用可能であるので、陰極の電位の付着は重要でなく、処理の実行を妨害しない。
【００２１】
電極を、陰極と陽極の間の電気陰性度の差がより大きい他の材質で製造することが可能である。それらを、合金、処理された金属または金属めっき、半導体で製造することもまた可能であり、よって電極の寿命を伸ばし、同時に発電機の能力を増強する。
【００２２】
電極の寿命を伸ばすために水の中に特定の物質が添加され、および／または、発電機が摂氏０度未満で同様に機能しうるように、「不凍」剤のような物質が添加される。
【００２３】
それは、産業、農業、医療、家庭用機器などのあらゆる分野で使用可能である。
【００２４】
それは、より短時間でより大きい電力を生成する蓄電池を装着可能である。
【００２５】
他のエネルギー源とは対照的に、それは以下の利点を有する。
１．それは太陽、昼間または夜間に依存しない。
２．それは風に依存しない。
３．それは大気を汚染しない。
４．それは一定量のエネルギーを生成する。
５．太陽熱発電所または風力発電所と比較して、それは取り外すことなく運搬可能である。
６．製造後、それを容易におよび実用的に取り付け可能であり、それは直ちにエネルギーを生成する。
７．蓄電池とは異なり、それは休止期間に劣化しない。
８．それを地下（貯水池でも）に埋めることが可能であり、多くのスペースを取らず、ソーラパネルのように地面を覆わない。よって、冬期でさえ水の追加なしに温度が摂氏０度を上回ることを確実にする。
９．それは酸または塩を含まず、結果として危険でない。それを農業にもまた、問題なく使用可能である。
１０．それを、太陽熱発電所または風力発電所で行えない共同住宅でも使用可能である。収納家具、廊下などに設置した１立方メートルの体積で、十分でありうる。
１１．発電機の体積および必要によって、それがそれ自身の必要とされるエネルギーを確保可能である。
１２．他の発電機が十分でない（太陽、風など）とき、一時的なエネルギーの不足を補うのにそれを使用可能である。
１３．より多くのエネルギーが必要とされるとき、予測不可能な困難につながらない１つの安全で信頼がおける源で、他の源を永続的に補完可能である。
１４．数年に一度（および大規模使用時）のみ陽極の電極の交換を必要とするだけである事実に関し、それはコストが高くない。
１５．電気ネットワークを実施不可能で、太陽または風力エネルギーのどちらも活用しない地域でのみ、それを使用可能である。
１６．例えば地下、水中、または宇宙さえも、長年にわたり一定のエネルギーが必要とされ、蓄電池の頻繁な交換が難しいアクセス困難な地域で、それは有用である。
【図１】
2016532258.tif 000003
【図２】
2016532258.tif 000004
【図３】
2016532258.tif 000005
【図４】
2016532258.tif 000006
【図５】
2016532258.tif 000007
【国際調査報告】
2016532258.tif 000008